(57)【要約】【課題】種々の物質を含有する原水を浄化することができるとともに、容易に搬送することができる可搬型水浄化装置を提供する。【解決手段】複数のリングを相互に重ね合わせて筒状に構成したフィルタ１０４を外筒１０１内に収容し、このフィルタ内にその一端から水圧による押圧力を作用させた状態でフィルタを通して原水を通過させることにより水の浄化を行うリングチューブを備えた水浄化装置において、フィルタ１０４に作用する圧力を水圧で制御する制御手段と、ろ過工程ではフィルタの中心孔内に原水を供給して、フィルタ１０４を通過してその外周面側に移動した液体を処理水として取り出し、洗浄工程ではフィルタ１０４の外周面側からその中心孔内に向けて処理水を強制的に流入させることにより、フィルタに堆積した固形物を除去する管路手段と、リングチューブ、制御手段および管路手段をフレームワーク１に一体的に保持させて、構成する。【選択図】          図１
2004275928.tif 000002
【特許請求の範囲】
【請求項１】
複数のリングを相互に重ね合わせて筒状に構成したフィルタ及び前記リングを各々の開口が一致するように保持した状態で収容するとともに、前記フィルタとの間に形成された通路を有する外筒、および前記フィルタにその一端から水圧による押圧力を作用させることにより、前記リングの各々を相互に密着させる加圧ユニットを備えたリングチューブと、
前記フィルタの一端から押圧力を加えることにより隣接する前記リングを相互に密着させた第１の状態と、前記押圧力を開放して隣接する前記リングが相互に離れることを許容する第２の状態のいずれかを選択できるように、前記フィルタに作用する圧力を水圧で制御する制御手段と、
ろ過工程では前記フィルタの中心孔内に、浄化すべき原水を供給して前記フィルタを通過してその外周面側に移動した液体を処理水として取り出し、洗浄工程では前記フィルタの外周面側からその中心孔内に向けて処理水を強制的に流入させることにより、前記フィルタに各リング間に堆積した固形物を除去する管路手段と、
前記リングチューブ、前記制御手段および前記管路手段を一体的に保持するフレームワークと、
を備えていることを特徴とする可搬型水浄化装置。
【請求項２】
前記リングチューブの１もしくは２以上で構成された第１組と、前記リングチューブの１もしくは２以上で構成された第２組とが設けられ、前記第１組または前記第２組のリングチューブのいずれか一方が前記ろ過工程にあるときに他方の組のリングチューブが洗浄工程となるように前記制御手段の制御が行われるように構成されている請求項１に記載の可搬型水浄化装置。
【請求項３】
前記加圧ユニットが、シリンダおよびその内部で往復可能なピストンを備え、前記ピストンのピストンロッドにより前記フィルタの一端に押圧力を加えることができるように構成されている請求項１または２に記載の可搬型水浄化装置。
【請求項４】
前記原水が、海水あるいは塩分を含んだ井水であり、前記原水中の塩分を除去するための食塩結晶化装置をさらに備えている請求項１乃至３のいずれかに記載の可搬型水浄化装置。
【発明の詳細な説明】
【０００１】
【発明の属する技術分野】
本発明は、種々の夾雑物が混入している原水をろ過して、飲用水もしくはこれに準ずる生活水として取り出すことができる水浄化装置に関し、とくに装置全体を容易に運搬できる形態とし、水を必要とする地点に搬送することができるようにした可搬型水浄化装置に関する。
本発明において、「水浄化」とは、海水、塩分を含んだ井水、あるいは種々の物質が混入している水質の悪い水（以下、「原水」という）を、飲用水あるいは生活用水として使用し得る程度の純度の水になるまで浄化することを意味する。
【０００２】
【従来の技術】
汚水から、これに混入している夾雑物を高い効率で除去して、飲料水あるいは生活水程度の純度の水を得ることは、水資源の乏しい地域などではきわめて深刻は要求であり、このような要求は、災害時などでライフラインが遮断された状況でも同様である。
【０００３】
このような要求に対処するために、従来から多数の提案がなされてきた。もっとも単純な手段は、汚水もしくは塩分の混入した原水をろ過あるいは蒸留によって浄化することである。しかしながら、濾過には特有の問題点を内包していることも事実であり、特に大きな問題点として、液体に混入している固形物の粒子径が小さくなると効率が急激に低下すること、およびある程度の濾過が行われた時点でろ材の洗浄が必要になること、が挙げられる。
【０００４】
ろ材としては、ネット、ろ布、固体粒子の充填層、半透膜等が知られているが、どのような形態のろ材を使用した場合でも、上記の問題点を回避することはできない。
【０００５】
一方、海水を飲料水にするための海水淡水化に注目すると、現在、日本及び諸外国で一般的に利用されている海水淡水化の方法は、Ｒｏ膜による逆浸透法である。沖縄県では４万ｍ３／日の能力のプラントが稼動中であり、福岡県では５万ｍ３／日のプラントが建設中である。
この逆浸透法は、通常は中央に浸透膜を置いて、左右に海水と淡水を置いた場合には、浸透庄により淡水から海水のほうに水が移動し、約６００ｍ（６Ｍｐ）海水の方の水面が高くなってバランスする。そこで、海水面に逆に６Ｍｐの圧力をかけることにより、海水の中の水分を淡水側に押し出して、海水を淡水化する方法であり、現在で海水の淡水化大量生産システムでは最も低コストで淡水化できる方法と言われている。
【０００６】
しかしながら、これら膜式の濾過装置は、異物による目詰まりを避けられないため、高圧エアー、あるいは洗浄水によって逆洗をして異物を除去し、その濾過能力を回復している。しかしながら、膜の目は細かく形成されているので、このような逆洗方法では、完全に異物を取り除くことが難しい。したがって膜を頻繁に交換する必要があり、メンテナンスが煩わしいばかりでなく、ランニングコストが高くなってしまう。
【０００７】
このようは欠陥のない浄化装置の開発が強く求められており、その一例として、特開２００２−２３９５３６号公報に開示されているような装置が提案されている。この公知の装置は、海水を内部に導入することが可能であり、海水上の容器内空間部を減圧状態に保つことのできる第１の容器と、水蒸気を吸着及び脱離する吸着剤が内部に配置され、該吸着剤を加熱・冷却する加熱・冷却手段を備えた第２の容器と、水蒸気を凝縮させる凝縮手段を備えた第３の容器と、前記第１の容器及び前記第２の容器を連通する第１の配管と、前記第２の容器及び前記第３の容器を連通する第２の配管と、少なくとも前記第２の容器を減圧にすることが可能な減圧手段と、を備えており、前記吸着剤は、中心細孔直径が０．１〜５０ｎｍの細孔を有する多孔体であることを特徴とするものである。
【０００８】
［特許文献］特開２００２−２３９５３６
【０００９】
【発明が解決しようとする課題】
しかしながら、前述の半透膜を使用する装置も、半透膜の代わりに蒸留と吸着を組み合わせた特開２００２−２３９５３６号公報記載の装置も、種々の複雑で大型の容器や配管等の設備を必要としているために、その処理能力の低さを許容するとしても、処理すべき原水を容易に取得することができる場所に搬送することは事実上不可能であり、一時的に浄水を必要とするような用途、あるいは災害発生時等の緊急事態に対応することはできない。
【００１０】
本発明の目的は、飲料水として利用可能な程度の純度の水を、種々の物質を含有する原水から容易に得ることができるとともに、災害発生時等において、水を必要とする現地に容易に搬送することができるように改良した可搬型水浄化装置を提供することである。
【００１１】
【課題を解決するための手段】
請求項１に記載された発明は、複数のリングを相互に重ね合わせて筒状に構成したフィルタ及び前記リングを各々の開口が一致するように保持した状態で収容するとともに、前記フィルタとの間に形成された通路を有する外筒、および前記フィルタにその一端から水圧による押圧力を作用させることにより、前記リングの各々を相互に密着させる加圧ユニットを備えたリングチューブと、
前記フィルタの一端から押圧力を加えることにより隣接する前記リングを相互に密着させた第１の状態と、前記押圧力を開放して隣接する前記リングが相互に離れることを許容する第２の状態のいずれかを選択できるように、前記フィルタに作用する圧力を水圧で制御する制御手段と、
ろ過工程では前記フィルタの中心孔内に、浄化すべき原水を供給して前記フィルタを通過してその外周面側に移動した液体を処理水として取り出し、洗浄工程では前記フィルタの外周面側からその中心孔内に向けて処理水を強制的に流入させることにより、前記フィルタに各リング間に堆積した固形物を除去する管路手段と、
前記リングチューブ、前記制御手段および前記管路手段を一体的に保持するフレームワークと、
を備えていることを特徴とする。
【００１２】
請求項２に記載された発明は、請求項１に記載の可搬型水浄化装置において、前記リングチューブの１もしくは２以上で構成された第１組と、前記リングチューブの１もしくは２以上で構成された第２組とが設けられ、前記第１組または前記第２組のリングチューブのいずれか一方が前記ろ過工程にあるときに他方の組のリングチューブが洗浄工程となるように前記制御手段の制御が行われるように構成されていることを特徴とする。
請求項３に記載された発明は、請求項１または２に記載の可搬型水浄化装置において、前記加圧ユニットが、シリンダおよびその内部で往復可能なピストンを備え、前記ピストンのピストンロッドにより前記フィルタの一端に押圧力を加えることができるように構成されていることを特徴とする。
さらに請求項４に記載された発明は、請求項１〜３のいずれかに記載の可搬型水浄化装置において、前記原水が、海水あるいは塩分を含んだ井水であり、前記原水中の塩分を除去するための食塩結晶化装置をさらに備えている。
【００１３】
【発明の実施の形態】
本発明の一実施の形態について図面を参照して説明する。
図１および図２は、本発明にもとづいて構成された可搬型水浄化装置を示すもので、図１は側面図、図２はその平面図である。これらの図において、符号１は、装置全体を保持するフレームワークを示し、このフレームワーク１に、水浄化装置を構成する種々の要素が支持されている。またフレームワーク１の底面には、床面に安定に設置することが出来るように４個の脚２が取り付けられているが、脚２に代えてキャスターとすることもできる。
【００１４】
フレームワーク１に支持された水浄化装置は、複数（この例では４基）のリングチューブ１０Ａ、１０Ｂ、１１Ａ、１１Ｂ、小型高圧ポンプ、これらを連結する配管およびバルブ等の構成要素を備えて構成されている。
この例では、リングチューブは、リングチューブ１０Ａおよび１０Ｂからなる第１組として、リングチューブ１１Ａおよび１１Ｂからなる第２組の２組に分けられ、この２組のリングチューブが、所定の運転プログラムに従って制御される小型高圧ポンプやバルブの動作に応じて、原水導入口１２から処理原水を汲み上げ、各リングチューブで浄化を行い、処理済みの浄水を浄水取出口１３から取り出し、また排水を濃縮液排出口１４から排出できるように構成されている。
なお、符号１５は装置全体の動作を制御する制御盤、１６は各部の状態を示す計器盤である。
【００１５】
図３は、この実施の形態で用いられたリングチューブの一つの縦断面図を示している。なお全てのリングチューブ１０Ａ、１０Ｂ、１１Ａ、１１Ｂは実質的に同一構成となっているので、その一つ（例えばリングチューブ１０Ａ）のみについて以下に説明する。
リングチューブ１０Ａは、参照符号１０１で示す外筒を有し、この外筒１０１の一端（図３の下端）は、ほぼ円板状の蓋体１０２によって閉じられている。
【００１６】
蓋体１０２の外筒１０１に接する端面には、その周面から外筒１０１の壁の厚さより若干大きい距離だけ内側に入った位置に、リング状の凸部１０２ａが設けら、この凸部１０２ａは、外筒１０１の端面の開口からその内部に挿入されて、例えばネジ込み式に嵌め込むことで、外筒１０１に蓋体１０２が、両者間に隙間がない状態で固定されている。また蓋体１０２の中心位置には、これを貫通して、原水導入口１２を構成する導管１０３が設けられている。
【００１７】
さらに外筒１０１の内部には、その内径よりも小さい、好ましくは約１／２程度の外径を有する円筒状のフィルタ１０４が、各々の軸心が一致するような配置で収容されている。このフィルタ１０４は、図４にその一部を示すように、多数のドーナツ状のリング１０５を各々の軸心が一致するするような配置で相互に重ね合わせて構成した円筒状のもので、外筒１０１の内周面とフィルタ１０４の外周面との間には、円筒状の空間すなわち通路１０６が形成されており、この通路１０６は外筒１０１の下端部に周壁を貫通して設けられた、原水導管１０９と連通している。なお符号１０７は、フィルタ１０４の外周面から微小間隔で外側に位置するように配置された３本もしくはそれ以上の位置規制用ロッドを示す。この位置規制用ロッド１０７は、フィルタ１０４を構成しているリング１０５が所定の位置に保持されるようにその位置を規制するためのもので、必要に応じて、位置規制用ロッド１０７自身も、外筒１０１の内周面との間に設けられたリング状の保持部材１０８により変形しないように保持される。
【００１８】
一方、外筒１０１の、前記の端部とは反対側に位置する端部には、外筒１０１と共通の軸心を有するような配置で円筒状の加圧ユニット１１０が設けられている。この加圧ユニット１１０は、外筒１０１とほぼ等しい直径のシリンダ１１１と、このシリンダ１１１内を軸方向に摺動可能なピストン１１２と、このピストン１１２の中心を貫通するピストンロッド１１３を備え、このピストンロッド１１３の一端は、カップ状の押さえ部材１１４を介して、前述のフィルタ１０４の一端に衝合している。またシリンダ１１２の、ピストン１１２によって区画された２つのチャンバ１１５および１１６のうち、フィルタ１０４から離れた側のチャンバ１１６の内部は、導管１１７を介して外部の圧力源である小型高圧ポンプ（図示せず）に接続され、チャンバ１１６内の圧力が上昇または下降するのに応じて、ピストン１１２はピストンロッド１１３とともに移動し、ピストンロッド１１３の先端でフィルタ１０４の一端を押圧し、あるいは押圧を解除するようになされている。
【００１９】
このリングチューブ１０Ａが浄化処理のろ過工程にある状態では、ピストンロッド１１３はその移動範囲の下端に向けて移動するように付勢されており、これによりフィルタ１０４はピストンロッド１１３と蓋体１０２との間で、その軸方向に所定の圧力で圧縮されている。この状態で導管１０３を経てフィルタ１０４の中心孔内に原水が適当な圧力で圧送されてくると、水のみがフィルタ１０４を構成している多数のリング１０５間の微細な間隙を通って通路１０６に移動し、処理水としてリングチューブ１０Ａの外部に取り出されるが、原水中に含有されている夾雑物はこの間隙を通過することができず、フィルタ１０４の中心孔内に留まる。
【００２０】
この状態で、ろ過工程が進行すると、フィルタ１０４の中心孔内に残留する夾雑物の量が増大し、ろ過能力が低下してくる。このような状態に達すると、シリンダ１１６内の圧力を低下させてピストン１１２およびピストンロッド１１３を後退（図２の上方に移動）させる。同時に、バルブを操作して、処理水を導管１０２から通路１０６内に圧送すると、処理水はフィルタ１０４の外周綿側からその中心孔内に流れ、ついで導管１０３から外部に取り出される。これにより、フィルタ１０４のリング１０３間、およびフィルタ１０４の内周面に付着していた夾雑物が処理水とともに外部に排出され、ここにフィルタ１０４の洗滌が行われる。
【００２１】
ピストン１１２を駆動するための加圧源としては、油圧、水圧あるいは空気圧等の流体圧を発生し得るものであれば、その種類を問わないが、小さい動力で大きい圧力を得ることができる点で、水圧を利用する小型高圧ポンプが適している。この小型高圧ポンプとしては、１０〜３０Ｋｇ／ｃｍ２の水圧を発生できるものが好ましい。
【００２２】
図５は、本発明の可搬型水浄化装置のうち、第１組のリングチューブ１０Ａと、これに接続されたポンプ、バルブおよび配管の構成を、浄化工程にあるものとして示す概略的系統図である。図５において、リングチューブ１０Ａの加圧ユニット１１０には、ポンプＰ１の作用でストレーナＳおよびレギュレータＲを経て、所定の流体圧が加えられ、フィルタ１０４はその軸方向に作用する押圧力を受け、各リング１０５は隣接するリング１０５に強い力で押し付けられている。レギュレータＲは、シリンダ１１２内の圧力を、例えば２〜１０Ｋｇ／ｃｍ２の範囲で一定の水圧に維持する。
【００２３】
この状態で、原水タンク１２１内の浄化処理すべき原水は、ポンプＰ１の作用でストレーナＳおよび二方弁Ｖ１を経て、原水取入口である導管１０３を経てリングチューブ１０Ａの内部の、フィルタ１０４の中心孔内に適度な圧力で圧送される。その結果、前述のように、原水はリングチューブ１０Ａ内のフィルタ１０４でろ過され、ろ液である処理水が導管１０９から三方弁Ｖ２を経て取り出され、処理水タンク１２２に蓄えられる。
【００２４】
このろ過工程が所定量の原水を処理するまで行われた後、フィルタ１０４を洗滌するための洗浄工程に入る。この洗浄工程の原水および処理水の流れを図６に示す。洗浄工程では、二方弁Ｖ１が閉、二方弁Ｖ３が開となり、ポンプＰ２が動作するとともに、三方弁Ｖ２がこのポンプＰ２側に切り替えられる。この状態では、シリンダ１１２内の圧力が低下して、フィルタ１０４にその軸方とに作用していた押圧力が開放され、各リング１０３と隣接するリングとの間の間隙が増大し得る状態となる。同時に、処理水タンク１２２内の処理水がポンプＰ２および三方弁Ｖ２を経て導管１０９に導かれ、リングチューブ１０Ａの外筒１０１とフィルタ１０４との間の通路１０６内に圧送される。この処理水は、外筒１０１とフィルタ１０４との間の通路１０６からフィルタ１０４のリング１０５間を通ってフィルタ１０４の中心孔内に流れ、ついで導管１０３から、二方弁Ｖ３を経て原水タンク１２１に戻される。これにより、フィルタ１０４のリング１０５間およびその内周面に付着していた夾雑物が洗い流され、ここの洗滌が行われる。
【００２５】
図５および図６では、１基のリングチューブの動作について説明したが、図１および図２に示した例の可搬型水浄化装置では、２基のリングチューブ１０Ａ、１０Ｂからなる第１組と、同じく２基のリングチューブ１１Ａ、１１Ｂからなる第２組とからなる２組のリングチューブが設けられており、第１組のリングチューブ１０Ａ、１０Ｂがろ過工程にある間に、第２組の１１Ａ、１１Ｂが洗浄工程を行うように、交互に使用され、これにより中断なく、連続的に処理水を供給することが可能になる。
また、使用されるリングチューブの本数は、必要とする処理水の単位時間当たりの流量、あるいは水浄化装置の搬送の容易さ等の条件に応じて適宜に変更することができる。たとえば、図１および図２の例では、４基のリングチューブが設けられ、小型の車両に搭載して搬送できる規模で構成されているが、１基のリングチューブのみであれば、手に下げ、あるいはカートに載せて人力で搬送できる程度のポータブルなサイズで構成することが可能である。
【００２６】
本発明の可搬型水浄化装置が対象とする「水」とは、前述のとおり、種々の物質が混入もしくは溶解することによって飲用水もしくは生活水に適さない水質の悪い水を意味するが、本発明の可搬型水浄化装置における浄化の基本的な操作はろ過であるので、水に溶解した不純物はそのままでは除去できない。このような不純物を含有する水については、浄化処理に先立って、溶解している不純物を固形物に変化させることが必要である。
【００２７】
本発明の可搬型水浄化装置で海水、もしくは塩分を含む水を処理する場合には、塩分を結晶化させた後に、リングチューブで処理して浄化する。このような塩分結晶化処理は、海水に高周波電流を印加し、海水中のナトリウムイオンと塩素イオンとを反応させて、塩化ナトリウムの結晶を生成させる結晶化工程と、前記生成された塩化ナトリウムの結晶を含む海水を、前記濾過部の前記液体通路内に供給し、前記リング間の間隙を通して液体のみを通過させることにより濾過して前記塩化ナトリウムの結晶を分離する濾過工程とを含む。
【００２８】
海水淡水化のために構成された本発明の可搬型水浄化装置の一例を図７に示す。この例の可搬型水浄化装置は、図３に示したものと同様の、内部に円筒状のフィルタを収容するリングチューブと、そのフィルタの外側の通路に海水を高圧で供給するための高圧ポンプを備えている。処理すべき海水は、ポンプおよびフィルタを経てイオンチャージャに供給され、ここで２５〜５０ＫＨｚ、数千ボルト、たとえば４０００Ｖ〜１００００Ｖの高周波電圧を数十秒かける。これにより、海水中に分散しているナトリウムイオン（Ｎａ＋）と塩素イオン（Ｃｌ−）とが反応して、直径１μｍ程度の大きさの微細な食塩結晶が形成され、好ましくは対流を利用して最大１マイクロメートルの粒子に成長させ、さらにそれを凝集させて、直径数マイクロメートルの粒子に成長させる作用が行われる。
次に、結晶化した食塩を含有する海水は、リングチューブフィルタ（一例として外径１５６ｍｍ、内径１３６ｍｍ、厚さ８００ｍｍのもの）を備えたリングチューブに供給される。このリングチューブフィルタは、その軸方向に２０Ｋｇ／ｃｍ２で加圧して、リング間にナノレベルの隙間を作り出しており、その外側に海水を導くことにより、内部に淡水、外側に塩分が濃縮された塩水に分離する。この濃縮水は、濃縮水は、塩分濃度１６％程度、ミネラル成分も残り、天然塩に近い食塩を含有しており、バルブ−３を有する管路を経て取り出されたのち、食塩を得るための処理を受ける。
【００２９】
一方、リングチューブフィルタの各リング感の間隙を通過してその内部空間に移行した液体は、食塩の結晶が分離された淡水であり、これはバルブ−４を有する管路を経て気液分離器に送られ、分離された液体が淡水として取り出される。リングチューブで分離された淡水の塩分濃度は０．０６７％程度、にがり成分である塩化マグネシウムなどのミネラルが海水の１／２程度の濃度で含まれ、ほどよくミネラルを含んだ状態のものである。
【００３０】
本発明の海水淡水化方法によれば、海水中のナトリウム（Ｎａ）のみを除去できるため、カルシウム（Ｃａ）、カリウム（Ｋ）、鉄（Ｆｅ）、マンガン（Ｍｎ）などの有用ミネラルを濾過後の液体中に残すことが可能となる。
【００３１】
また、本発明では、塩化ナトリウムの結晶を含む海水をフィルタに透過させて濾過するにあたり、平板リングを複数枚重ね合わせ、重ね合わせた平板リングの両側に対して圧力をかけて各平板リング間の間隙幅が１μｍより小さくなるように調整したリングチューブフィルタを用いることがある。この場合、重ね合わせた平板リングの両側にかける圧力の調整を通じて、前記塩化ナトリウムの結晶が透過できない１μｍより小さい間隙を簡易に作ることができる。
【００３２】
本発明の可搬型水浄化装置の利点を、従来のＲｏ膜式の装置と比較して下の表１に示す。
【表１】
2004275928.tif 000003
【００３３】
【発明の効果】
以上に説明したように本発明によれば、多数のリングを重ね合わせたフィルタを備え、このフィルタをその軸方向に押圧することで多数の微細な空隙を形成するために、水圧ポンプによる水圧を利用している。このため、たの加圧手段を適用した場合と比較して、小型かつ軽量に構成することが可能になり、ろ過を必要とする場所に小型車両等を利用して容易に搬送することができるという利点を発揮する。
このような本発明の可搬型水浄化装置の重要な利点の一つは、コンプレッサを使用していないために、小型で可搬型でありながら、海水の淡水化にも適用できるということである。
【図面の簡単な説明】
【図１】本発明の一実施の形態にもとづいて構成された可搬型水浄化装置の側面図である。
【図２】図１に示した可搬型水浄化装置の平面図である。
【図３】図１に示した可搬型水浄化装置に適用されたリングチューブを示す縦断面図である。
【図４】図３に示したリングチューブのフィルタを構成するリングの一部を示す斜視図である。
【図５】図１に示した可搬型水浄化装置のろ過工程における液体の流れを示す系統図である。
【図６】図１に示した可搬型水浄化装置の洗滌工程における液体の流れを示す系統図である。
【図７】海水淡水化に適するように構成された本発明の可搬型水浄化装置を示す系統図である。
【符号の説明】
１  フレームワーク
２  脚
１０Ａ、１０Ｂ、１１Ａ、１１Ｂ  リングチューブ
１２  原水導入口
１３  浄水取出口
１４  濃縮液排出口
１５  制御盤
１６  計器盤
１０１  外筒
１０２  蓋体
１０２ａ  凸部
１０３  導管
１０４  フィルタ
１０５  リング
１０６  通路
１０７  位置規制用ロッド
１０８  保持部材
１０９  導管
１１０  加圧ユニット
１１１  シリンダ
１１２  ピストン
１１３  ピストンロッド
１１４  押さえ部材
１１５  チャンバ
１２１  原水タンク
１２２  処理水タンク
Ｐ１  小型高圧ポンプ
Ｐ２  洗浄用ポンプ
Ｓ  ストレーナ
Ｒ  レギュレータ
Ｖ１  二方弁
Ｖ２  三方弁
Ｖ３  二方弁
【図１】
2004275928.tif 000004
【図２】
2004275928.tif 000005
【図３】
2004275928.tif 000006
【図４】
2004275928.tif 000007
【図５】
2004275928.tif 000008
【図６】
2004275928.tif 000009
【図７】
2004275928.tif 000010